(57)【特許請求の範囲】
【請求項１】
大便器に取り付けられた衛生洗浄装置に光信号を送信する、衛生洗浄装置用リモコン装置であって、
操作スイッチと、前記操作スイッチの操作に応じた光信号を前記衛生洗浄装置に送信する信号発信手段とを有する、リモコン本体と、
トイレの壁面に取り付けられて、前記リモコン本体を着脱可能に保持する、保持具と、
を備えており、
前記信号発信手段は、
前記リモコン本体を前記保持具に装着した状態で、前記衛生洗浄装置に向けて光信号を送信するための第１発信手段と、
前記リモコン本体を前記保持具から外した状態で、前記衛生洗浄装置に向けて光信号を送信するための第２発信手段と、
を備えているとともに、
前記リモコン本体は、
当該リモコン本体が前記保持具に装着されているか否かを検知する、装着検知手段と、
前記装着検知手段の検知結果に基づいて、当該リモコン本体が前記保持具に装着されていると判断できる場合には、前記第１発信手段から光信号を送出し、前記装着検知手段の検知結果に基づいて、当該リモコン本体が前記保持具に装着されていないと判断できる場合には、前記第２発信手段から光信号を送出するように、前記第１発信手段と前記第２発信手段とを制御する、制御部と、
を備えることを特徴とする衛生洗浄装置用リモコン装置。
【請求項２】
前記リモコン本体は、使用者が、前記リモコン本体の前後の向きを識別し得るように構成されており、
前記リモコン本体の前後方向における、前記第２発信手段が光信号を送信する範囲の角度は、前記リモコン本体の前記前後方向における、前記第１発信手段が光信号を送信する範囲の角度よりも、大きい、ことを特徴とする請求項１に記載の衛生洗浄装置用リモコン装置。
【請求項３】
前記第２発信手段が光信号を送信する範囲は、使用者が、前記リモコン本体を手で持った場合に、前記第２発信手段から送信された光信号が、トイレの天井と壁面のうちの少なくとも１つで反射して、前記衛生洗浄装置で受信されるように設定されている、ことを特徴とする請求項２に記載の衛生洗浄装置用リモコン装置。
【請求項４】
前記第２発信手段が光信号を送信する範囲は、前記リモコン本体の前記前後方向に広がる光信号を送信する範囲の角度が、前記リモコン本体の左右方向に広がる光信号を送信する範囲の角度よりも、大きい、ことを特徴とする請求項３に記載の衛生洗浄装置用リモコン装置。
【請求項５】
前記第２発信手段は、光信号を送信する方向が異なるように配置された複数の光信号生成素子を備えて構成されており、
前記複数の光信号生成素子の１つは、光信号を、前記リモコン本体の前記前後方向における前方向に向けて送信するように配置されており、
前記複数の光信号生成素子の他の１つは、光信号を、前記リモコン本体の前記前後方向における後方向に向けて送信するように配置されている、
ことを特徴とする請求項２乃至請求項４のいずれかに記載の衛生洗浄装置用リモコン装置。
【発明の詳細な説明】
【技術分野】
【０００１】
本発明は、衛生洗浄装置用リモコン装置に関し、特に、リモコン本体を利用者が手で持った状態等においても使用することのできる、衛生洗浄装置用リモコン装置に関する。
【背景技術】
【０００２】
トイレの大便器に取り付けられた衛生洗浄装置を、リモコンを用いて、使用者が操作する使用態様が広く普及している（例えば、特公平１−５０７３０号公報、特開平９−６７８４８号公報参照）。このような使用態様の場合、リモコンは、トイレの壁面に取り付けられ、使用者は、この壁面に取り付けられた状態のリモコンを操作して、衛生洗浄装置に所望の動作を実行させる。
【０００３】
すなわち、使用者がリモコンに設けられた各種スイッチを操作すると、そのスイッチの操作に応じた光信号が、リモコンから天井に向けて送信される。この送信された光信号は、天井で反射し、衛生洗浄装置に設けられた受信部で受信される。衛生洗浄装置では、受信した光信号を復号し、この光信号で指定されている各種の動作を実行する。
【先行技術文献】
【特許文献】
【０００４】
【特許文献１】特公平１−５０７３０号公報
【特許文献２】特開平９−６７８４８号公報
【発明の概要】
【発明が解決しようとする課題】
【０００５】
しかしながら、従来のリモコンでは、リモコンを壁に取り付けた状態で使用されることを前提としているため、光信号は、リモコンの頂部から上方に向かって送信されるように構成されている。このため、このリモコンを使用者が手に持って操作すると、光信号は天井に向かって送信されずに、使用者の前方向、つまり大便器の前方向に向かって送信されてしまう。大便器の前方向に向かって送信された光信号は、衛生洗浄装置に設けられた受信部で受信することはできず、このため、使用者がリモコンのスイッチを操作したとしても、衛生洗浄装置が所望の動作を実行しないという問題があった。
【０００６】
一方で、大便器に取り付けられた衛生洗浄装置は、使用者が使用する際には、使用者の体の後方向である背面に位置することから、テレビのリモコンのように、リモコンの光信号の送信部である頂部を、衛生洗浄装置に向けた状態で操作するのは困難であった。
【０００７】
そこで、本発明は、前記課題に鑑みてなされたものであり、リモコン本体を、トイレの壁面に取り付けた状態でも、使用者が手で持った状態等でも、使用することのできる、衛生洗浄装置用リモコン装置を提供することを目的とする。
【課題を解決するための手段】
【０００８】
上記の課題を解決するために、本発明に係る衛生洗浄装置用リモコン装置は、大便器に取り付けられた衛生洗浄装置に光信号を送信する、衛生洗浄装置用リモコン装置であって、操作スイッチと、前記操作スイッチの操作に応じた光信号を前記衛生洗浄装置に送信する信号発信手段とを有する、リモコン本体と、トイレの壁面に取り付けられて、前記リモコン本体を着脱可能に保持する、保持具と、を備えており、前記信号発信手段は、前記リモコン本体を前記保持具に装着した状態で、前記衛生洗浄装置に向けて光信号を送信するための第１発信手段と、前記リモコン本体を前記保持具から外した状態で、前記衛生洗浄装置に向けて光信号を送信するための第２発信手段と、を備えているとともに、前記リモコン本体は、当該リモコン本体が前記保持具に装着されているか否かを検知する、装着検知手段と、前記装着検知手段の検知結果に基づいて、当該リモコン本体が前記保持具に装着されていると判断できる場合には、前記第１発信手段から光信号を送出し、前記装着検知手段の検知結果に基づいて、当該リモコン本体が前記保持具に装着されていないと判断できる場合には、前記第２発信手段から光信号を送出するように、前記第１発信手段と前記第２発信手段とを制御する、制御部と、を備えることを特徴とする。
【０００９】
このように、リモコン本体が保持具に装着されているか否かを検知する装着検知手段の検知結果に基づいて、第１発信手段と第２発信手段とを切り替えて用いるように制御することとしたので、トイレの壁面に取り付けられた保持具にリモコン本体を装着した場合でも、使用者がリモコン本体を手で持った状態等でも、リモコン本体から衛生洗浄装置に向けて光信号を送信することができる。このため、衛生洗浄装置が光信号を受信する確実性を高め、衛生洗浄装置に指定した動作を実行させることができるようになる。
【００１０】
また、リモコン本体が保持具に装着されていると判断できる場合には、第１発信手段から光信号を送出し、リモコン本体が保持具に装着されていないと判断できる場合には、第２発信手段から光信号を送出するようにしたので、第１発信手段と第２発信手段で消費される電力を削減することができる。このため、リモコン本体の駆動電源として電池を使用する場合でも、電池の消耗を抑えて、電池の長寿命化を図ることができる。
【００１１】
この場合、前記リモコン本体は、使用者が、前記リモコン本体の前後の向きを識別し得るように構成されており、前記リモコン本体の前後方向における、前記第２発信手段が光信号を送信する範囲の角度は、前記リモコン本体の前記前後方向における、前記第１発信手段が光信号を送信する範囲の角度よりも、大きくなるようにしてもよい。これにより、使用者が、リモコン本体を立てて持っても、寝かして持っても、リモコン本体から衛生洗浄装置に向けて光信号を送信することができるので、使用者のリモコン本体の持ち方に拘わらず、衛生洗浄装置に指定した動作を実行させることができるようになる。
【００１２】
より具体的には、前記第２発信手段が光信号を送信する範囲は、使用者が、前記リモコン本体を手で持った場合に、前記第２発信手段から送信された光信号が、トイレの天井と壁面のうちの少なくとも１つで反射して、前記衛生洗浄装置で受信されるように設定されてもよい。これにより、使用者のリモコン本体の持ち方に拘わらず、衛生洗浄装置が光信号を受信できる確実性を増大させることができ、使用者の利便性を向上させることができる。
【００１３】
さらに、前記第２発信手段が光信号を送信する範囲は、前記リモコン本体の前記前後方向に広がる光信号を送信する範囲の角度が、前記リモコン本体の左右方向に広がる光信号を送信する範囲の角度よりも、大きくなるようにしてもよい。これにより、使用者が、自分の体の前後方向にリモコン本体の前後方向が合うように、リモコン本体を持った場合に、リモコン本体の前後方向に広い角度にわたって光信号を送信できるようになる。このため、衛生洗浄装置が光信号を受信できる確実性をより増大させることができる。
【００１４】
また、前記第２発信手段は、光信号を送信する方向が異なるように配置された複数の光信号生成素子を備えて構成されており、前記複数の光信号生成素子の１つは、光信号を、前記リモコン本体の前記前後方向における前方向に向けて送信するように配置されており、前記複数の光信号生成素子の他の１つは、光信号を、前記リモコン本体の前記前後方向における後方向に向けて送信するように配置されているようにしてもよい。このようにすることにより、使用者がリモコン本体を水平な状態で持ったり、リモコンスタンドにリモコン本体を水平な状態で裁置したりしても、リモコン本体の前方向にも後方向にも光信号が送信されるので、衛生洗浄装置は、その光信号を高い確実性をもって受信することができる。
【発明の効果】
【００１５】
本発明に係る衛生洗浄装置用リモコン装置によれば、トイレの壁面に取り付けられた保持具にリモコン本体を装着した場合でも、使用者がリモコン本体を手で持った状態等でも、使用することができる。
【図面の簡単な説明】
【００１６】
【図１】本発明の第１実施形態に係る衛生洗浄装置用リモコン装置が設置されたトイレ内部の一例を説明するための斜視図である。
【図２】本発明の第１実施形態に係る衛生洗浄装置用リモコン装置におけるリモコン本体のレイアウトの一例を説明するための正面図である。
【図３】本発明の第１実施形態に係る衛生洗浄装置用リモコン装置におけるリモコン本体の内部構成の一例を説明するためのブロック図である。
【図４】本発明の第１実施形態に係る衛生洗浄装置用リモコン装置の構造の一例を説明するための模式的な右側面図である（リモコン本体がホルダーに装着されている状態）。
【図５】本発明の第１実施形態に係る衛生洗浄装置用リモコン装置の構造の一例を説明するための模式的な右側面図である（リモコン本体がホルダーから取り外されている状態）。
【図６】本発明の第１実施形態に係る衛生洗浄装置用リモコン装置のリモコン本体における第１信号発信部から、光信号が送信されている様子を説明するための、衛生洗浄装置用リモコン装置の模式的な正面図である（リモコン本体がホルダーに装着されている状態）。
【図７】本発明の第１実施形態に係る衛生洗浄装置用リモコン装置のリモコン本体における第１信号発信部から、光信号が送信されている様子を説明するための、衛生洗浄装置用リモコン装置の模式的な右側面図である（リモコン本体がホルダーに装着されている状態）。
【図８】本発明の第１実施形態に係る衛生洗浄装置用リモコン装置のリモコン本体における第２信号発信部から、光信号が送信されている様子を説明するための、衛生洗浄装置用リモコン装置の模式的な正面図である（リモコン本体がホルダーから取り外されている状態）。
【図９】本発明の第１実施形態に係る衛生洗浄装置用リモコン装置のリモコン本体における第２信号発信部から、光信号が送信されている様子を説明するための、衛生洗浄装置用リモコン装置の模式的な右側面図である（リモコン本体がホルダーから取り外されている状態）。
【図１０】本発明の第１実施形態に係る衛生洗浄装置用リモコン装置のリモコン本体における第２信号発信部から前後方向に送信される光信号の範囲を説明するための図である。
【図１１】本発明の第２実施形態に係る衛生洗浄装置用リモコン装置におけるリモコン本体の内部構成の一例を説明するためのブロック図である。
【図１２】本発明の第２実施形態に係る衛生洗浄装置用リモコン装置の構造の一例を説明するための模式的な右側面図である（リモコン本体がホルダーに装着されている状態）。
【図１３】本発明の第２実施形態に係る衛生洗浄装置用リモコン装置の構造の一例を説明するための模式的な右側面図である（リモコン本体がホルダーから取り外されている状態）。
【図１４】本発明の第３実施形態に係る衛生洗浄装置用リモコン装置におけるリモコン本体の内部構成の一例を説明するためのブロック図である。
【図１５】本発明の第３実施形態に係る衛生洗浄装置用リモコン装置の構造の一例を説明するための模式的な右側面図である（リモコン本体がホルダーに装着されている状態）。
【図１６】本発明の第３実施形態に係る衛生洗浄装置用リモコン装置の構造の一例を説明するための模式的な右側面図である（リモコン本体がホルダーから取り外されている状態）。
【図１７】本発明の第４実施形態に係る衛生洗浄装置用リモコン装置のリモコン本体が裁置されるリモコンスタンドの構成の一例を説明するための斜視図である。
【図１８】図１７に示すリモコンスタンドを、大便器の側方に置いた状態を説明するための、リモコンスタンドと大便器の左側面図である。
【図１９】図１７に示すリモコンスタンドを、大便器の前方に置いた状態を説明するための、リモコンスタンドと大便器の左側面図である。
【図２０】本発明の第４実施形態に係る衛生洗浄装置用リモコン装置のリモコン本体における第１信号発信部から、光信号が送信されている様子を説明するための、衛生洗浄装置用リモコン装置の模式的な正面図である（リモコン本体がホルダーに装着されている状態）。
【図２１】本発明の第４実施形態に係る衛生洗浄装置用リモコン装置のリモコン本体における第１信号発信部から光信号が送信される様子を説明するための、衛生洗浄装置用リモコン装置の模式的な右側面図である（リモコン本体がホルダーに装着されている状態）。
【図２２】本発明の第４実施形態に係る衛生洗浄装置用リモコン装置のリモコン本体における第２信号発信部から、光信号が送信されている様子を説明するための、衛生洗浄装置用リモコン装置の模式的な正面図である（リモコン本体がホルダーから取り外されている状態）。
【図２３】本発明の第４実施形態に係る衛生洗浄装置用リモコン装置のリモコン本体における第２信号発信部から光信号が送信される様子を説明するための衛生洗浄装置用リモコン装置の模式的な左側面図である（リモコン本体がホルダーから取り外されている状態）。
【図２４】本発明の第４実施形態に係る衛生洗浄装置用リモコン装置のリモコン本体における第２信号発信部から前後方向に送信される光信号の範囲を説明するための図である。
【発明を実施するための形態】
【００１７】
〔第１実施形態〕
本発明の第１実施形態に係る衛生洗浄装置用リモコン装置は、トイレの側壁に取り付けられたホルダーに、リモコン本体が装着されていると、信号切替用ホールＩＣの検知結果に基づいて判断できる場合には、第１信号発信部から衛生洗浄装置に向けて光信号を送信し、トイレの側壁に取り付けられたホルダーに、リモコン本体が装着されていないと、信号切替用ホールＩＣの検知結果に基づいて判断できる場合には、第２信号発信部から衛生洗浄装置に向けて光信号を送信するようにした。そして、これにより、リモコン本体を、ホルダーに装着した状態でも、使用者が手に持った状態でも、リモコン本体からの光信号を衛生洗浄装置が受信できるようにするとともに、リモコン本体における消費電力の抑制を図ったものである。より詳しくを、以下に説明する。
【００１８】
図１は、本実施形態に係る衛生洗浄装置用リモコン装置３０が設置されたトイレ内部の一例を説明する斜視図である。この図１に示すように、トイレ装置は、大便器１０に取り付けられた衛生洗浄装置２０と、この衛生洗浄装置２０に各種の動作を実行させるための衛生洗浄装置用リモコン装置３０とを備えて構成されている。
【００１９】
衛生洗浄装置２０は、使用者が腰掛けるための便座２２と、この便座２２を覆うように開閉可能な便蓋２４と、衛生洗浄装置２０における各種の動作と制御を行う衛生洗浄装置本体２６とを、備えて構成されている。便座２２と便蓋２４は、ともに、衛生洗浄装置本体２６に回動可能に連結されている。
【００２０】
衛生洗浄装置本体２６は、洗浄機能部、乾燥機能部、脱臭機能部、便座保温機能部などを備えており、これらの各種機能を実現するための動作や制御を行う。例えば、洗浄機能部の機能を実現するために、衛生洗浄装置本体２６には、洗浄ノズル２８が設けられており、この衛生洗浄装置本体２６に供給されている水道水を加熱して温水にし、洗浄ノズル２８から吐出させて、使用者の局部を洗浄する。本実施形態においては、この局部の洗浄機能には、おしり洗浄機能とビデ機能の２種類が用意されている。
【００２１】
使用者は、衛生洗浄装置用リモコン装置３０を用いて、衛生洗浄装置本体２６に、これらの各種の機能の動作を指示する。例えば、使用者がおしり洗浄をしようとする場合には、この衛生洗浄装置用リモコン装置３０を操作して、衛生洗浄装置本体２６に、おしり洗浄の動作を実行させる。
【００２２】
本実施形態においては、衛生洗浄装置用リモコン装置３０は、リモコン本体５０と、このリモコン本体５０を着脱可能に保持するホルダー５２とを備えて構成されている。ホルダー５２は、側壁４４に固定的に取り付けられている。使用者は、この衛生洗浄装置用リモコン装置３０のリモコン本体５０を操作して、衛生洗浄装置本体２６に各種の動作を実行させる指示を送信する。したがって、本実施形態においては、使用者は、このホルダー５２にリモコン本体５０を装着した状態で、リモコン本体５０を操作することもできるし、ホルダー５２からリモコン本体５０を取り外して手に持った状態で、リモコン本体５０を操作することもできることとなる。
【００２３】
リモコン本体５０からの指示は、このリモコン本体５０から送信される光信号により、衛生洗浄装置２０の衛生洗浄装置本体２６に伝達される。すなわち、リモコン本体５０から送信された制御信号である光信号は、このトイレの天井４０で反射し、衛生洗浄装置本体２６に設けられた受信部４２で受信される。但し、リモコン本体５０から送信された制御信号である光信号は、天井４０以外でも、側壁４４、後の壁４６、前方のトイレドアなどの壁面で反射して、衛生洗浄装置本体２６に設けられた受信部４２で受信されることもあり得る。つまり、リモコン本体５０から送信された光信号は、天井４０と壁面のうちの少なくとも１つで反射して、衛生洗浄装置本体２６で受信されればよい。
【００２４】
図２は、本実施形態に係る衛生洗浄装置用リモコン装置３０におけるリモコン本体５０のレイアウトの一例を説明するための正面図である。この図２に示すように、リモコン本体５０の正面には、円形のスイッチ６０、６２、６４と、リング状のスイッチ６６、６８とが、設けられている。より具体的には、リモコン本体５０の前方部分には、円形のスイッチ６０が配置されており、この円形のスイッチ６０を囲うように、リング状のスイッチ６６が配置されている。リモコン本体５０の中央部分には、円形のスイッチ６２が配置されている。リモコン本体５０の後方部分には、円形のスイッチ６４が配置されており、この円形のスイッチ６４を囲うように、リング状のスイッチ６８が配置されている。
【００２５】
例えば、使用者が、円形のスイッチ６０の前方部分を押下すると、衛生洗浄装置本体２６のビデ機能が起動し、円形のスイッチ６０の後方部分を押下すると、衛生洗浄装置本体２６のおしり洗浄機能が起動する。一方、使用者が、円形のスイッチ６２を押下すると、これら起動していたビデ機能やおしり洗浄の動作が、停止する。
【００２６】
また、使用者が、リング状のスイッチ６６の前方部分を押下すると、洗浄ノズル２８の吐出口が使用者の前方に移動し、リング状のスイッチ６６の後方部分を押下すると、洗浄ノズル２８の吐出口が使用者の後方に移動する。一方、使用者が、リング状のスイッチ６６の右側部分を押下すると、洗浄ノズル２８から吐出される洗浄水の吐出力が強くなり、リング状のスイッチ６６の左側部分を押下すると、洗浄ノズル２８から吐出される洗浄水の吐出力が弱くなる。
【００２７】
また、使用者が、円形のスイッチ６４を押下すると、衛生洗浄装置本体２６の乾燥機能が起動し、上述した円形のスイッチ６２を押下すると、この乾燥機能が停止する。さらに、使用者が、リング状のスイッチ６８の前方部分を押下すると、洗浄用の温水の温度設定を行うモードに移行し、後方部分を押下すると、便座の温度設定を行うモードに移行する。これらいずれかのモードに移行した状態で、使用者が、リング状のスイッチ６８の右側部分を押下すると、設定温度を上げることができ、左側部分を押下すると、設定温度を下げることができる。
【００２８】
使用者が設定した温度は、リング状のスイッチ６８を囲うように設けられた、温度表示部７０に表示される。本実施形態においては、温度表示部７０には、複数の発光素子（例えば、ＬＥＤ（Light Emitting Diode））が埋め込まれており、これら複数の発光素子のうちのどの発光素子が発光するかで、使用者の設定した温度が特定できるように構成されている。すなわち、温水の温度を設定するモード、若しくは、便座の温度を設定するモードに移行すると、設定されている温度に応じた位置にある発光素子が発光する。使用者は、この発光素子が発光した位置に応じて、設定されている温度を把握し、設定温度を変更する。そして、使用者が設定温度を変更するのに応じて、温度表示部７０で発光する発光素子は、順次、切り替わるように構成されている。
【００２９】
使用者が、リモコン本体５０に設けられた、これらスイッチ６０、６２、６４、６６、６８を操作すると、その指示は、リモコン本体５０の前方向の端部に設けられた、信号発信ユニット８０から送信される光信号により衛生洗浄装置本体２６に伝達される。すなわち、信号発信ユニット８０から送信された光信号が、衛生洗浄装置本体２６の受信部４２で受信されることにより、衛生洗浄装置３０に使用者の指示を伝えることができる。
【００３０】
なお、これらのことから分かるように、本実施形態においては、リモコン本体５０は、使用者が、このリモコン本体５０の前方と後方、及び、右側と左側とを、識別し得る構成になっている。このため、本実施形態においては、このリモコン本体５０に設定されている前方向、後方向、右側、左側に基づいて、使用者が、リモコン本体５０をホルダー５２に装着して使用する際における、及び、リモコン本体５０を手で持って使用する際における、光信号の送信方向や送信角度を設計している。
【００３１】
図３は、本実施形態に係るリモコン本体５０の内部構成の一例を説明するためのブロック図である。図４は、本実施形態に係る衛生洗浄装置用リモコン装置３０の構造を説明するための模式的な側面図であり、リモコン本体５０がホルダー５２に装着された状態を示している。図５は、図４と同様に、本実施形態に係る衛生洗浄装置用リモコン装置３０の構造を説明するための模式的な側面図であり、リモコン本体５０がホルダー５２から取り外された状態を示している。
【００３２】
これらの図に示すように、上述したスイッチ６０、６２、６４、６６、６８と、温度表示部７０と、信号発信ユニット８０とは、リモコン本体５０の内部に設けられた制御部８２に接続されており、この制御部８２により、これらは制御される。この制御部８２は、例えば、ＣＰＵ（Central Processing Unit）により、構成することができる。
【００３３】
信号発信ユニット８０は、第１信号発信部８４と、第２信号発信部８６とを備えて構成されている。第１信号発信部８４は、リモコン本体５０がホルダー５２に装着されている状態のときに、制御信号である光信号を、衛生洗浄装置本体２６に送信するための装置である。第２信号発信部８６は、リモコン本体５０がホルダー５２から取り外された状態のときに、制御信号である光信号を、衛生洗浄装置本体２６に送信するための装置である。
【００３４】
制御部８２には、信号切替用ホールＩＣ８８も接続されており、この信号切替用ホールＩＣ８８の検知結果に基づいて、制御部８２は、第１信号発信部８４を動作させるのか、それとも、第２信号発信部８６を動作せるのかを切り替え制御する。具体的には、本実施形態に係るホルダー５２には、磁石９０が埋め込まれている。このため、信号切替用ホールＩＣ８８は、リモコン本体５０がホルダー５２に装着されている場合には、この磁石９０からの磁界を検知して、磁界検知信号を制御部８２に出力する。一方、信号切替用ホールＩＣ８８は、リモコン本体５０がホルダー５２から取り外されている場合には、この磁石９０から磁界を検知することができないため、磁界非検知信号を制御部８２に出力する。
【００３５】
制御部８２では、信号切替用ホールＩＣ８８が磁界検知信号を出力している場合には、リモコン本体５０がホルダー５２に装着されていると判断することができ、信号切替用ホールＩＣ８８が磁界非検知信号を出力している場合には、リモコン本体５０がホルダー５２に装着されていないと判断することができる。このため、制御部８２は、信号切替用ホールＩＣ８８から磁界検出信号が出力されている状態で、光信号を送信する場合には、第１信号発信部８４を動作させて、光信号を出力し、第２信号発信部８６は動作させない。一方、信号切替用ホールＩＣ８８から磁界非検出信号が出力されている状態で、光信号を送信する場合には、制御部８２は、第２信号発信部８６を動作させて、光信号を出力し、第１信号発信部８４は動作させない。
【００３６】
図６は、第１信号発信部８４から光信号が送信される様子を説明するための衛生洗浄装置用リモコン装置３０の模式的な正面図であり、図７は、その模式的な右側面図である。つまり、図６及び図７は、リモコン本体５０がホルダー５２に装着された状態で、第１信号発信部８４から送信される制御信号である光信号の範囲を説明するための図である。
【００３７】
これら図６及び図７に示すように、リモコン本体５０がホルダー５２に装着されている場合、第１信号発信部８４として設けられた２つの光信号生成素子１００、１０２のそれぞれから、制御信号である光信号が送信される。すなわち、本実施形態においては、第１信号発信部８４は、２つの光信号生成素子１００、１０２を備えて構成されている。この光信号生成素子１００、１０２は、例えば、ＬＥＤ（Light Emitting Diode）により構成することができる。
【００３８】
本実施形態に係る光信号生成素子１００、１０２は、それぞれ、中心角が３０度の範囲の広がりを持って、光信号を送信する。そして、これら２つの光信号生成素子１００、１０２が、異なる方向に向けて光信号を送信するように、これら光信号生成素子１００、１０２を配置する。
【００３９】
具体的には、図６に示すように、リモコン本体５０の左右方向においては、光信号生成素子１００が、リモコン本体５０の左前方に向けて、中心角が３０度の広がりを有する光信号を送信するように配置されており、光信号生成素子１０２は、リモコン本体５０の右前方に向けて、中心角が３０度の広がりを有する光信号を送信するように配置されている。
【００４０】
一方、図７に示すように、リモコン本体５０の前後方向においては、光信号生成素子１００、１０２は、いずれも同じ方向に向けて光信号を送信するように、光信号生成素子１００、１０２が配置されている。すなわち、光信号生成素子１００、１０２は、ともに、リモコン本体５０の前方に向けて、中心角が３０度の広がりを有する光信号を送信する。本実施形態においては、光信号生成素子１００、１０２から送信される光信号の広がりのうち、最も前方側の光信号が、リモコン本体５０の前後方向に対して平行になるように設定されている。すなわち、リモコン本体５０の前後方向に伸びる軸をＬとし、光信号生成素子１００、１０２から送信される光信号の範囲のうち、最も前方向の光信号をＳ１とし、最も後方向の光信号をＳ２とすると、軸Ｌと光信号Ｓ１とがなす角度はゼロ度であり、光信号Ｓ１と光信号Ｓ２とがなす角は３０度である。
【００４１】
このように、２つの光信号生成素子１００、１０２を用いて、２つの異なる方向に光信号を送信するのは、この衛生洗浄装置用リモコン装置３０のホルダー５２が、使用者から見て、右側の側壁４４（壁面）に取り付けられる場合と、左側の側壁４４（壁面）に取り付けられる場合とがあるからである。すなわち、ホルダー５２が、使用者の右側の壁面に取り付けられ、このホルダー５２にリモコン本体５０が装着された場合には、光信号生成素子１０２から送信された光信号が、天井４０で反射して、衛生洗浄装置本体２６の受信部４２で受信される前提で、設計がなされている。一方、ホルダー５２が、使用者の左側の壁面に取り付けられて、このホルダー５２にリモコン本体５０が装着された場合には、光信号生成素子１００から送信された光信号が、天井４０で反射して、衛生洗浄装置本体２６の受信部４２で受信される前提で、設計がなされている。
【００４２】
図８は、第２信号発信部８６から光信号が送信される様子を説明するための衛生洗浄装置用リモコン装置３０の模式的な正面図であり、図９は、その模式的な右側面図である。つまり、図８及び図９は、リモコン本体５０がホルダー５２に装着されていない状態で、第２信号発信部８６から送信される制御信号である光信号の範囲を説明するための図である。
【００４３】
これら図８及び図９に示すように、リモコン本体５０がホルダー５２に装着されていない場合、つまり、ホルダー５２から取り外された場合、第２信号発信部８６として設けられた３つの光信号生成素子１０４、１０６、１０８のそれぞれから、制御信号である光信号が送信される。すなわち、本実施形態においては、第２信号発信部８６は、３つの光信号生成素子１０４、１０６、１０８を備えて構成されている。この光信号生成素子１０４、１０６、１０８は、例えば、ＬＥＤ（Light Emitting Diode）により構成することができる。
【００４４】
本実施形態に係る光信号生成素子１０４、１０６、１０８は、それぞれ、中心角が３０度の範囲の広がりを持って、光信号を送信する。そして、これら３つの光信号生成素子１０４、１０６、１０８が、異なる方向に向けて光信号を送信するように、これら光信号生成素子１０４、１０６、１０８を配置する。具体的には、図９に示すように、リモコン本体５０の前後方向においては、光信号生成素子１０４、１０６、１０８から構成される第２信号発信部８６が、リモコン本体５０の前後方向に沿った軸Ｌに対して、全体として１１０度の広がりを有するように、光信号を送信する。
【００４５】
図１０は、これら３つの光信号生成素子１０４、１０６、１０８が送信する光信号の前後方向の広がりの範囲を説明するための図である。この図１０に示すように、光信号生成素子１０４から送信された光信号の範囲Ａ１と、光信号生成素子１０６から送信された光信号の範囲Ａ２と、光信号生成素子１０８から送信された光信号の範囲Ａ３とは、重なりが無いように、光信号生成素子１０４、１０６、１０８が配置されている。また、光信号生成素子１０６から送信された光信号の範囲Ａ２と、光信号生成素子１０８から送信された光信号の範囲Ａ３との間は、中心角２０度分だけ空いている。このため、第２信号発信部８６が光信号を送信する範囲の角度は、３０度＋３０度＋３０度＋２０度＝１１０度となる。
【００４６】
光信号生成素子１０４から送信された光信号の範囲Ａ１は、リモコン本体５０の前方向に向くように設定されている。より具体的には、光信号生成素子１０４から送信された光信号の範囲Ａ１の最も前方向の光信号Ｓ３は、リモコン本体５０の前後方向に伸びる軸Ｌと重なるように設定されており、光信号生成素子１０４から送信された光信号の範囲Ａ１の最も後方向の光信号Ｓ４は、この光信号Ｓ３から３０度の中心角をなす位置にある。
【００４７】
光信号生成素子１０６から送信された光信号の範囲Ａ２は、リモコン本体５０の斜め前方を向くように設定されている。換言すれば、光信号生成素子１０６から送信された光信号の範囲Ａ２は、光信号生成素子１０４から送信された光信号の範囲Ａ１と、光信号生成素子１０８から送信された光信号の範囲Ａ３との間に挟まれた範囲を向くように、設定されている。より具体的には、光信号生成素子１０６から送信された光信号の範囲Ａ２の最も前方向の光信号Ｓ５は、光信号Ｓ４と重なるように設定されており、光信号生成素子１０６から送信された光信号の範囲Ａ２の最も後方向の光信号Ｓ６は、この光信号Ｓ５から３０度の中心角をなす位置にある。
【００４８】
光信号生成素子１０８から送信された光信号の範囲Ａ３は、リモコン本体５０の前後方向の中心よりも僅かに後方向に向くように設定されている。より具体的には、光信号生成素子１０８から送信された光信号の範囲Ａ３の最も前方向の光信号Ｓ７は、軸Ｌと重なる光信号Ｓ３から８０度の中心角をなす位置に設定されており、光信号生成素子１０８から送信された光信号の範囲Ａ３の最も後方向の光信号Ｓ８は、この光信号Ｓ７から３０度の中心角をなす位置にある。このことから分かるように、第２信号発信部８６が光信号を送信する範囲の角度１１０度は、光信号Ｓ３と光信号Ｓ８とで形成される角度で定まることとなるが、この第２信号発信部８６が光信号を送信する範囲には、設計上、光信号が送信されない範囲も存在することとなる。すなわち、図１０の例では、光信号生成素子１０６から送信された光信号の範囲Ａ２と、光信号生成素子１０８から送信された光信号の範囲Ａ３との間は、中心角２０度分だけ空いている。換言すれば、光信号Ｓ６と光信号Ｓ７の間の中心角２０度の範囲には、設計上は、光信号が送信されないことになる。しかし、リモコン本体５０を使用者が手で持った場合には、その角度は随時変化すると考えられ、また、第２信号発信部８６から送信された光信号は、天井４０以外の側壁４４、後の壁４６、前方のトイレドアなどの壁面でも反射することから、これらの乱反射により、衛生洗浄装置本体２６に光信号は到達すると考えられる。このため、光信号が送信されない中心角２０度の範囲が存在しても、実用上は、問題が生じないと考えられる。
【００４９】
これに対して、リモコン本体５０の左右方向においては、図８に示すように、光信号生成素子１０４、１０６、１０８が、リモコン本体５０の左右方向の中心に向けて、中心角が３０度の広がりを有する光信号を送信するように配置されている。すなわち、光信号生成素子１０４、１０６、１０８が送信する光信号の範囲は、左右方向においては、重なっている。このため、第２信号発信部８６が左右方向に光信号を送信する範囲の角度は３０度となり、前後方向に光信号を送信する範囲の角度である１１０度よりも、小さくなっている。換言すれば、第２信号発信部８６が前後方向に光信号を送信する範囲の角度は、左右方向に光信号を送信する範囲の角度より、大きくなっている。
【００５０】
このように、リモコン本体５０の前後方向に光信号を送信する範囲の中心角を広くするのは、使用者がリモコン本体５０を、手で持つ場合に、このリモコン本体５０をどのような角度で持つかは使用者の任意であり、予め特定することができないからである。このため、前後方向の広い範囲にわたって、リモコン本体５０から光信号を送信することにより、光信号が衛生洗浄装置２０に到達できるようにしているのである。
【００５１】
一方で、左右方向に光信号を送信する範囲が狭い中心角で足りるのは、本実施形態に係るリモコン本体５０が、前方向と後方向を使用者が識別できるように構成されていることから、リモコン本体５０の操作をする際には、使用者が便座２２に腰掛けた状態で、リモコン本体５０の前方向を使用者にとっての前方向に合わせて操作すると考えられるためである。
【００５２】
以上の説明から明らかなように、本実施形態におけるリモコン本体５０が、本発明におけるリモコン本体に相当しており、本実施形態におけるホルダー５２が、本発明における保持具に相当しており、本実施形態における第１信号発信部８４が、本発明における第１発信手段に相当しており、本実施形態にける第２信号発信部８６が、本発明における第２発信手段に相当しており、本実施形態における信号切替用ホールＩＣ８８が、本発明における装着検知手段に相当しており、本実施形態における制御部８２が、本発明における制御部に相当している。また、本実施形態における信号切替用ホールＩＣ８８と磁石９０とにより、本発明に係る装着非装着検知装置を構成している。
【００５３】
以上のように、本実施形態に係る衛生洗浄装置用リモコン装置３０によれば、リモコン本体５０がホルダー５２に装着されているか否かを信号切替用ホールＩＣ８８で検知し、この信号切替用ホールＩＣ８８の検知結果に基づいて、第１信号発信部８４と第２信号発信部８６とを切り替えて動作させることとした。このため、リモコン本体５０をホルダー５２に装着したままの状態でも、使用者がリモコン本体５０を手に持った状態でも、リモコン本体５０を操作し、制御信号である光信号を衛生洗浄装置本体２６の受信部４２で受信できるように、リモコン本体５０から光信号を送信することができる。このため、衛生洗浄装置本体２６の受信部４２が光信号を受信できる確実性を高め、衛生洗浄装置２０に、使用者が指定した動作を実行させることができるようになる。
【００５４】
また、リモコン本体５０がホルダー５２に装着されていると判断できる場合には、第１信号発信部８４を動作させるが、第２信号発信部８６は動作させないこととし、リモコン本体５０がホルダー５２に装着されていないと判断できる場合には、第２信号発信部８６を動作させるが、第１信号発信部８４は動作させないこととした。このため、リモコン本体５０の消費電力の抑制を図ることができ、リモコン本体５０の駆動電源として電池を使用する場合でも、電池の消耗を抑えて、電池の長寿命化を図ることができる。
【００５５】
また、本実施形態に係るリモコン本体５０は、使用者が、リモコン本体５０の前後の向きを識別し得るように構成されていることから、使用者がリモコン本体５０を手で持った場合におけるリモコン本体５０の向きをある程度、限定することができる。すなわち、使用者が便座２２に腰掛けた状態でリモコン本体５０を操作する場合には、通常、リモコン本体５０の前方向が使用者の前方向と重なる状態で操作を行うと考えられる。このような前提があることから、第２信号発信部８６が送信する光信号の範囲の左右方向における角度を、前後方向における角度より、小さくできる。換言すれば、第２信号発信部８６が前後方向に光信号を送信する範囲の角度を、第２信号発信部８６が左右方向に光信号を送信する範囲の角度より、大きくすることにより、リモコン本体５０を用いて、使用者が指定した動作を、衛生洗浄装置２０に、より確実に実行させることができるようになる。
【００５６】
また、第２信号発信部８６と第１信号発信部との間の関係で見ると、第２信号発信部８６が送信する光信号の範囲の前後方向における角度は、第１信号発信部が送信する光信号の範囲の前後方向における角度より、大きく設定されていることになるため、使用者が、リモコン本体５０を立てて持っても、寝かして持っても、リモコン本体５０から衛生洗浄装置本体２６に向けて光信号を送信することができる。このため、使用者のリモコン本体５０の持ち方に拘わらず、衛生洗浄装置２０に、使用者の指定した動作を実行させることができるようになる。
【００５７】
〔第２実施形態〕
本発明の第２実施形態は、上述した第１実施形態に係る衛生洗浄装置用リモコン装置３０の信号切替用ホールＩＣ８８と磁石９０の代わりに、信号切替用スイッチと、この信号切替用スイッチを切り替える突起部とを設けることにより、リモコン本体５０がホルダー５２に装着されているか否かを検知できるようにしたものである。以下、上述した第１実施形態と異なる部分を説明する。
【００５８】
図１１は、本発明の第２実施形態に係るリモコン本体５０の内部構成の一例を説明するためのブロック図であり、上述した第１実施形態における図３に対応する図である。図１２は、本実施形態に係る衛生洗浄装置用リモコン装置３０の構造を説明するための模式的な右側面図であり、リモコン本体５０がホルダー５２に装着された状態を示している。図１３は、図１２と同様に、本実施形態に係る衛生洗浄装置用リモコン装置３０の構造を説明するための模式的な右側面図であり、リモコン本体５０がホルダー５２から取り外された状態を示している。
【００５９】
これらの図に示すように、本実施形態に係るリモコン本体５０には、第１実施形態の信号切替用ホールＩＣ８８に代えて、信号切替用スイッチ２００が設けられており、本実施形態に係るホルダー５２には、第１実施形態の磁石９０に代えて、突起部２０２が設けられている。信号切替用スイッチ２００は、リモコン本体５０の底部に設けられており、突起部２０２が挿入される開孔部が形成されている。この信号切替用スイッチ２００は、例えば、タクトスイッチやマイクロスイッチなどにより、構成することができる。突起部２０２は、ホルダー５２の底面２０４に設けられており、上方に向かって突出する形状をなしている。
【００６０】
このため、リモコン本体５０がホルダー５２に装着されると、この突起部２０２は、リモコン本体５０の信号切替用スイッチ２００の開孔部に挿入され、信号切替用スイッチ２００が例えばオン状態となる。一方、リモコン本体５０がホルダー５２から取り外されると、リモコン本体５０の信号切替用スイッチ２００の開孔部から、突起部２０２が抜去され、信号切替用スイッチ２００が例えばオフ状態となる。
【００６１】
信号切替用スイッチ２００は、制御部８２に接続されており、信号切替用スイッチ２００のオン／オフ状態が、検知結果として、制御部８２に入力される。制御部８２は、この信号切替用スイッチ２００の検知結果に基づいて、第１信号発信部８４を動作させるのか、それとも、第２信号発信部８６を動作せるのかを切り替え制御する。具体的には、信号切替用スイッチ２００は、リモコン本体５０がホルダー５２に装着されている場合には、オン状態となり、スイッチオン信号を制御部８２に出力する。一方、信号切替用スイッチ２００は、リモコン本体５０がホルダー５２から取り外されている場合には、オフ状態となり、スイッチオフ信号を制御部８２に出力する。
【００６２】
制御部８２では、信号切替用スイッチ２００がスイッチオン信号を出力している場合には、リモコン本体５０がホルダー５２に装着されていると判断することができ、信号切替用スイッチ２００がスイッチオフ信号を出力している場合には、リモコン本体５０がホルダー５２に装着されていないと判断することができる。このため、制御部８２は、信号切替用スイッチ２００からスイッチオン信号が出力されている状態で、光信号を送信する場合には、第１信号発信部８４を動作させて、光信号を出力し、第２信号発信部８６は動作させない。一方、制御部８２は、信号切替用スイッチ２００からスイッチオフ信号が出力されている状態で、光信号を送信する場合には、第２信号発信部８６を動作させて、光信号を出力し、第１信号発信部８４は動作させない。
【００６３】
以上の説明から明らかなように、本実施形態における信号切替用スイッチ２００が、本発明における装着検知手段に相当している。また、本実施形態における信号切替用スイッチ２００と突起部２０２とにより、本発明に係る装着非装着検知装置を構成している。
【００６４】
以上のように、本実施形態に係る衛生洗浄装置用リモコン装置３０によれば、リモコン本体５０に信号切替用スイッチ２００を設け、リモコン本体５０がホルダー５２に装着されているか否かを、この信号切替用スイッチ２００を用いて機械的に検知することとした。このような構成を用いても、リモコン本体５０がホルダー５２に装着されている状態か、それとも、ホルダー５２から外されている状態かを、信号切替用スイッチ２００のオン／オフ状態に基づいて、制御部８２は判断することができる。
【００６５】
〔第３実施形態〕
本発明の第３実施形態は、上述した第１実施形態に係る衛生洗浄装置用リモコン装置３０の信号切替用ホールＩＣ８８と磁石９０の代わりに、信号切替用３軸センサーを設けることにより、この信号切替用３軸センサーを用いて、リモコン本体５０がホルダー５２に装着されているか否かを検知できるようにしたものである。以下、上述した第１実施形態と異なる部分を説明する。
【００６６】
図１４は、本発明の第３実施形態に係るリモコン本体５０の内部構成の一例を説明するためのブロック図であり、上述した第１実施形態における図３に対応する図である。図１５は、本実施形態に係る衛生洗浄装置用リモコン装置３０の構造を説明するための模式的な右側面図であり、リモコン本体５０がホルダー５２に装着された状態を示している。図１６は、図１５と同様に、本実施形態に係る衛生洗浄装置用リモコン装置３０の構造を説明するための模式的な右側面図であり、リモコン本体５０がホルダー５２から取り外された状態を示している。
【００６７】
これらの図に示すように、本実施形態に係るリモコン本体５０には、第１実施形態の信号切替用ホールＩＣ８８に代えて、信号切替用３軸センサー３００が設けられている。一方、本実施形態に係るホルダー５２からは、第１実施形態の磁石９０が省かれている。信号切替用３軸センサー３００は、このリモコン本体５０の姿勢を検知するための装置である。すなわち、この信号切替用３軸センサー３００により、リモコン本体５０が垂直な状態にあるのか、それとも、斜めや水平などの非垂直な状態にあるのかを検知することができる。
【００６８】
リモコン本体５０がホルダー５２に装着されると、このリモコン本体５０は、リモコン本体５０の前方を上にした垂直な姿勢になる。一方、リモコン本体５０がホルダー５２から取り外されると、使用者がリモコン本体５０を手に持ったことになるので、リモコン本体５０は、通常であれば、斜めの姿勢になる。このため、本実施形態においては、このリモコン本体５０の姿勢に基づいて、リモコン本体５０がホルダー５２に装着されているのか、それとも、リモコン本体５０がホルダー５２から外されて、使用者が手で持っているのかを識別することとしている。
【００６９】
信号切替用３軸センサー３００は、制御部８２に接続されており、信号切替用３軸センサー３００の姿勢検知結果が制御部８２に入力される。制御部８２は、この信号切替用３軸センサー３００の姿勢検知結果に基づいて、第１信号発信部８４を動作させるのか、それとも、第２信号発信部８６を動作せるのかを切り替え制御する。具体的には、信号切替用３軸センサー３００は、リモコン本体５０がホルダー５２に装着されている場合には、垂直状態を示す姿勢検知結果の信号を制御部８２に出力する。一方、リモコン本体５０がホルダー５２から取り外されている場合には、信号切替用３軸センサー３００は、非垂直状態を示す姿勢検知結果の信号を制御部８２に出力する。
【００７０】
制御部８２では、信号切替用３軸センサー３００が垂直状態を示す姿勢検知結果の信号を出力している場合には、リモコン本体５０がホルダー５２に装着されていると判断することができ、信号切替用３軸センサー３００が非垂直状態を示す姿勢検知結果の信号を出力している場合には、リモコン本体５０がホルダー５２に装着されていないと判断することができる。このため、制御部８２は、信号切替用３軸センサー３００から、垂直状態を示す姿勢検知結果の信号が出力されている状態で、光信号を送信する場合には、第１信号発信部８４を動作させて、光信号を出力し、第２信号発信部８６は動作させない。一方、制御部８２は、信号切替用３軸センサー３００から、非垂直状態を示す姿勢検知結果の信号が出力されている状態で、光信号を送信する場合には、第２信号発信部８６を動作させて、光信号を出力し、第１信号発信部８４は動作させない。
【００７１】
以上の説明から明らかなように、本実施形態における信号切替用３軸センサー３００が、本発明における装着検知手段に相当している。また、本実施形態における信号切替用３軸センサー３００が単独で、本発明に係る装着非装着検知装置を構成している。
【００７２】
以上のように、本実施形態に係る衛生洗浄装置用リモコン装置３０によれば、リモコン本体５０に信号切替用３軸センサー３００を設け、リモコン本体５０がホルダー５２に装着されているか否かを、この信号切替用３軸センサー３００が検知したリモコン本体５０の姿勢に基づいて間接的に判断することとした。このような構成を用いても、リモコン本体５０がホルダー５２に装着されている状態か、それとも、ホルダー５２から外されている状態かを、信号切替用３軸センサー３００の姿勢検知結果に基づいて、制御部８２は判断することができる。
【００７３】
しかも、本実施形態に係る衛生洗浄装置用リモコン装置３０においては、ホルダー５２には、磁石９０や突起部２０２などの特別な機構を必要としない。このため、既存のホルダー５２を使用しても、本実施形態に係る衛生洗浄装置用リモコン装置３０を実現することができる。また、通常であれば、ホルダー５２は側壁４４に取り付けられて、容易には取り外しができないため、ホルダー５２側の構成を単純化することにより、メンテナンスの容易性を確保することができる。
【００７４】
〔第４実施形態〕
本発明の第４実施形態は、上述した第１実施形態乃至第３実施形態において、リモコン本体５０を、リモコンスタンドに置いて使用するという使用態様をも考慮したものである。この第４実施形態は、上述した第１実施形態乃至第３実施形態のいずれに対しても適用できる変形例である。
【００７５】
図１７は、本実施形態に係るリモコンスタンド４００の構成の一例を説明する斜視図である。この図１７に示すように、リモコンスタンド４００は、このリモコンスタンド４００を床に安定的に起立した状態で静止させるための基部４０２と、この基部４０２から上方に伸びる支持軸４０４と、この支持軸４０４の上端に形成されたリモコン裁置台４０６とを、備えて構成されている。リモコン裁置台４０６には、リモコン本体５０が裁置される。本実施形態においては、このリモコン裁置台４０６は、リモコン本体５０が裁置された場合に、裁置されたリモコン本体５０が床と平行になるように形成されている。
【００７６】
このリモコンスタンド４００をトイレに設けることにより、使用者は、リモコン本体５０を手で持って操作してもよいし、リモコン本体５０をリモコン裁置台４０６に置いて操作してもよいし、或いは、リモコン本体５０をホルダー５２に装着した状態で操作してもよいこととなる。
【００７７】
このリモコンスタンド４００は、トイレの床に固定されるのではなく、使用者が任意の位置に自由に移動できるようにして使用される。このため、図１８に示すように、大便器１０の側方、つまり使用者の側方に、リモコンスタンド４００が置かれて使用されることもあり、また、図１９に示すように、大便器１０の前方、つまり使用者の前方に置かれて使用されることもある。但し、リモコンスタンド４００を、トイレの床に固定して使用することも、可能である。
【００７８】
図２０は、第１信号発信部８４から光信号が送信される様子を説明するための衛生洗浄装置用リモコン装置３０の模式的な正面図であり、図２１は、その模式的な右側面図である。つまり、図２０及び図２１は、リモコン本体５０がホルダー５２に装着された状態で、第１信号発信部８４から送信される制御信号である光信号の範囲を説明するための図である。
【００７９】
これら図２０及び図２１に示すように、本実施形態に係る第１信号発信部８４は、上述した第１実施形態乃至第３実施形態と同様に、２つの光信号生成素子１００、１０２から光信号が送信される。図２１に示すように、前後方向において、第１信号発信部８４が光信号を送信する範囲の角度は、３０度となる。
【００８０】
図２２は、第２信号発信部８６から光信号が送信される様子を説明するための衛生洗浄装置用リモコン装置３０の模式的な正面図であり、図２３は、その模式的な右側面図である。つまり、図２２及び図２３は、リモコン本体５０がホルダー５２に装着されていない状態で、第２信号発信部８６から送信される制御信号である光信号の範囲を説明するための図である。
【００８１】
これら図２２及び図２３に示すように、本実施形態に係る第２信号発信部８６は、上述した第１実施形態乃至第３実施形態と異なり、４つの光信号生成素子４１０、４１２、４１４、４１６から光信号が送信される。
【００８２】
つまり、本実施形態においては、これら図２０乃至図２３は、本実施形態に係る信号発信ユニット８０における第１信号発信部８４と第２信号発信部８６の光信号生成素子１０２、４１０、４１２、４１４、４１６の配置とその向きの一例を説明するための図でもある。
【００８３】
図２４は、これら４つの光信号生成素子４１０、４１２、４１４、４１６が送信する光信号の前後方向の広がりの範囲を説明するための図である。この図２４に示すように、光信号生成素子４１０から送信された光信号の範囲Ａ１０と、光信号生成素子４１２から送信された光信号の範囲Ａ１１と、光信号生成素子４１４から送信された光信号の範囲Ａ１２と、光信号生成素子４１６から送信された光信号の範囲Ａ１３とは、重なりが無いように、光信号生成素子４１０、４１２、４１４、４１６が配置されている。このため、第２信号発信部８６が光信号を送信する範囲の前後方向における角度は、３０度＋３０度＋３０度＋３０度＝１２０度になっている。
【００８４】
光信号生成素子４１０から送信された光信号の範囲Ａ１０は、リモコン本体５０の前方向に向くように設定されている。より具体的には、光信号生成素子４１０から送信された光信号の範囲Ａ１０の最も前方向の光信号Ｓ１０は、リモコン本体５０の前後方向に伸びる軸Ｌと重なるように設定されており、光信号生成素子４１０から送信された光信号の範囲Ａ１０の最も後方向の光信号Ｓ１１は、この光信号Ｓ１０から３０度の中心角をなす位置にある。
【００８５】
これと同様に、光信号生成素子４１２から送信された光信号の範囲Ａ１１は、浅い角度でリモコン本体５０の斜め前方を向くように設定されており、最も前方向の光信号Ｓ１２は、光信号Ｓ１１と重なるように設定されており、最も後方向の光信号Ｓ１３は、この光信号Ｓ１２から３０度の中心角をなす位置にある。また、光信号生成素子４１４から送信された光信号の範囲Ａ１２は、深い角度でリモコン本体５０の斜め前方を向くように設定されており、最も前方向の光信号Ｓ１４は、光信号Ｓ１３と重なるように設定されており、最も後方向の光信号Ｓ１５は、この光信号Ｓ１４から３０度の中心角をなす位置にある。
【００８６】
光信号生成素子４１６から送信された光信号の範囲Ａ１３は、リモコン本体５０の前後方向の中心から後方向に向くように設定されている。より具体的には、光信号生成素子４１６から送信された光信号の範囲Ａ１３の最も前方向の光信号Ｓ１６は、光信号Ｓ１５と重なるように設定されており、光信号生成素子４１６から送信された光信号の範囲Ａ１３の最も後方向の光信号Ｓ１７は、この光信号Ｓ１６から３０度の中心角をなす位置にある。
【００８７】
一方、図２２に示すように、本実施形態に係る第２信号発信部８６が光信号を送信する範囲の左右方向における角度は、３０度になっている。このため、第２信号発信部８６が左右方向に光信号を送信する範囲の角度は、前後方向に光信号を送信する範囲の角度よりも、小さくなっている。換言すれば、第２信号発信部８６が前後方向に光信号を送信する範囲の角度は、左右方向に光信号を送信する範囲の角度より、大きくなっている。
【００８８】
このように、第２信号発信部８６において、左右方向に光信号を送信する範囲が狭い中心角で足りるのは、本実施形態に係るリモコン本体５０が、前方向と後方向を使用者が識別できるように構成されていることから、リモコン本体５０の操作をする際には、使用者が便座２２に腰掛けた状態で、リモコン本体５０の前方向を使用者にとっての前方向に合わせて操作すると考えられるためである。
【００８９】
また、本実施形態においては、リモコン本体５０がリモコンスタンド４００に裁置されて使用されることも想定している。上述したように、リモコンスタンド４００は可動式で、トイレの床のどの位置に置くかは、使用者の任意である。また、リモコンスタンド４００のリモコン裁置台４０６に、リモコン本体５０がどちらの向きで置かれるかは、確定できず、使用者によっては、リモコン本体５０の前方向を使用者の後方向に向けて、リモコン裁置台４０６に裁置することも無いとは言えない。このため、本実施形態の第２信号発信部８６においては、上述した第１実施形態乃至第３実施形態よりも、リモコン本体５０の前後方向の広い範囲に光信号を送信することとしているのである。つまり、第２信号発信部８６から送信される光信号の前後方向における範囲の角度を、第１実施形態乃至第３実施形態よりも大きくすることにより、使用者が、リモコン本体５０を立てて持っても、寝かして持っても、さらには、リモコンスタンド４００に逆向きに置いても、リモコン本体５０の操作に基づく光信号を、衛生洗浄装置２０に受信させることができるようなる。
【００９０】
以上のように、本実施形態に係る衛生洗浄装置用リモコン装置３０によれば、リモコン本体５０の前後方向の広い範囲にわたって、光信号を送信することとしたので、リモコン本体５０をリモコンスタンド４００に裁置した状態でも、リモコン本体５０を手で持った状態でも、リモコン本体５０の操作をし、制御信号である光信号を衛生洗浄装置本体２６の受信部４２に受信させることができる。このため、衛生洗浄装置用リモコン装置３０の様々な使用態様に対応することができる。
【００９１】
特に、第２信号発信部８６における光信号生成素子４１６は、リモコン本体５０の前後方向に伸びる軸Ｌの前方向を基準として、９０度から１２０度の範囲に、光信号を送信するようにした。つまり、光信号生成素子４１６は、光信号が後方に送信されるように配置した。このため、リモコン本体５０を水平な状態でリモコンスタンド４００のリモコン裁置台４０６に裁置した状態で、使用者がリモコン本体５０の操作を行っても、光信号を、衛生洗浄装置本体２６の受信部４２で受信させることができる。
【００９２】
なお、本発明は上記実施形態に限定されず種々に変形可能である。例えば、上述した各実施形態における第１信号発信部８４と第２信号発信部８６における、それぞれの光信号生成素子の数は、単なる一例に過ぎず、任意に変更可能である。例えば、上述した第１実施形態乃至第３実施形態における第２信号発信部８６を、第４実施形態のように、４つの光信号生成素子で構成することもできる。また、第４実施形態における第２信号発信部８６を、第１実施形態乃至第３実施形態のように、３つの光信号生成素子で構成することもできる。
【００９３】
また、１つの光信号生成素子が送信する光信号の広がりは、使用する光信号生成素子の特性によって異なるものであり、上述した３０度というのは、単なる一例に過ぎない。このため、１つの光信号生成素子が送信する光信号の範囲の中心角の角度に応じて、第１信号発信部８４と第２信号発信部８６で使用する光信号生成素子の個数は、適宜選択すべき事項である。
【符号の説明】
【００９４】
１０  大便器
２０  衛生洗浄装置
３０  衛生洗浄装置用リモコン装置
４０  側壁
４２  受信部
４４  側壁
４６  後の壁
５０  リモコン本体
５２  ホルダー
６０、６２、６４、６６、６８  スイッチ
７０  温度表示部
８０  信号発信ユニット
８２  制御部
８４  第１信号発信部
８６  第２信号発信部
８８  信号切替用ホールＩＣ
９０  磁石
【図１】
0005391988.tif 000002
【図２】
0005391988.tif 000003
【図３】
0005391988.tif 000004
【図４】
0005391988.tif 000005
【図５】
0005391988.tif 000006
【図６】
0005391988.tif 000007
【図７】
0005391988.tif 000008
【図８】
0005391988.tif 000009
【図９】
0005391988.tif 000010
【図１０】
0005391988.tif 000011
【図１１】
0005391988.tif 000012
【図１２】
0005391988.tif 000013
【図１３】
0005391988.tif 000014
【図１４】
0005391988.tif 000015
【図１５】
0005391988.tif 000016
【図１６】
0005391988.tif 000017
【図１７】
0005391988.tif 000018
【図１８】
0005391988.tif 000019
【図１９】
0005391988.tif 000020
【図２０】
0005391988.tif 000021
【図２１】
0005391988.tif 000022
【図２２】
0005391988.tif 000023
【図２３】
0005391988.tif 000024
【図２４】
0005391988.tif 000025